(57)【要約】      （修正有）【課題】自己サイホン作用の発生を確実に抑制し、封水が下流側に引き込まれてしまうことを抑制することができる水洗大便器を提供する。【解決手段】水洗大便器は、汚物を受けるボウル部と、このボウル部の下部に接続され外部の排水配管)の入口に接続される排水口３６まで延び且つその一部に封水を溜める排水トラップ管路と、を有する。この水洗大便器において、排水トラップ管路は、ボウル部の下部から後方へ向けて上昇する上昇管路と、この上昇管路の下流端から排水口まで下降する下降管路３４と、を備え、排水トラップ管路の下降管路は、排水口の後方側に底面３８を備え、この底面に、底面から排水口へ向けて流れる排水の水平方向の流れの向きを排水口の中心よりも左右の何れか一方の側に向けて流れるようにガイドするガイド部４０が形成されている。【選択図】図３
2020029725.tif 000002
【特許請求の範囲】
【請求項１】
汚物を受けるボウル部と、このボウル部の下部に接続され外部の排水配管の入口に接続される排水口まで延び且つその一部に封水を溜める排水流路と、を有する水洗大便器において、
上記排水流路は、上記ボウル部の下部から後方へ向けて上昇する上昇流路と、この上昇流路の下流端から上記排水口まで下降する下降流路と、を備え、
上記排水流路の下降流路は、上記排水口の後方側に底面を備え、この底面に、底面から上記排水口へ向けて流れる排水の水平方向の流れの向きを上記排水口の中心よりも左右の何れか一方の側に向けて流れるようにガイドするガイド部が形成されている、水洗大便器。
【請求項２】
上記ガイド部は、上記下降流路の底面の左右の何れか一方の側へ向けて斜め下方へ傾斜する傾斜面を有する、請求項１に記載の水洗大便器。
【請求項３】
上記ガイド部の傾斜面は、左右の何れか一方の側且つ前方へ向けて斜め下方へ傾斜する、請求項２に記載の水洗大便器。
【請求項４】
前記ガイド部は、上記傾斜面の上方に設けられ上記傾斜面よりも傾斜角度の小さい上面を有する、請求項２又は請求項３に記載の水洗大便器。
【請求項５】
汚物を受けるボウル部と、このボウル部の下部に接続され外部の排水配管の入口に接続される排水口まで延び且つその一部に封水を溜める排水流路と、を有する水洗大便器において、
上記排水流路は、上記ボウル部の下部から後方へ向けて上昇する上昇流路と、この上昇流路の下流端から上記排水口まで下降する下降流路と、を備え、
上記排水流路の下降流路は、上昇流路の頂部底面から連続して延びる上流領域に左右の何れか一方の側に傾斜する傾斜面が形成されている、水洗大便器。
【請求項６】
汚物を受けるボウル部と、このボウル部の下部に接続され外部の排水配管の入口に接続される排水口まで延び且つその一部に封水を溜める排水流路と、を有する水洗大便器において、
上記排水流路は、上記ボウル部の下部から後方へ向けて上昇する上昇流路と、この上昇流路の下流端から上記排水口まで下降する下降流路と、この下降流路の下端に取り付けられた排水ソケットと、を備え、
上記排水流路の排水ソケットは、上記排水口の後方側に底面を備え、この底面に、底面から上記排水口へ向けて流れる排水の水平方向の流れの向きを上記排水口の中心よりも左右の何れか一方の側に向けて流れるようにガイドするガイド部が形成されている、水洗大便器。
【発明の詳細な説明】
【技術分野】
【０００１】
本発明は、水洗大便器に係り、特に、汚物を受けるボウル部と、このボウル部の下部に接続され外部の排水配管の入口に接続される排水口まで延び且つその一部に封水を溜める排水流路と、を有する水洗大便器に関する。
【背景技術】
【０００２】
便器本体から排出された排水が排水口へ一気に流れ込むと、排水トラップ管路内又は排水配管内が一時的に満水状態となり、上流側の水を下流側へ引き込む自己サイホン作用が生じてしまうおそれがある。この自己サイホン作用が生じると、便器本体内の封水が下流側に引き込まれて排出され、封水切れが発生するおそれがある。
【０００３】
このような自己サイホン作用を防止するため、例えば、特許文献１及び特許文献２に記載されたような水洗大便器が提案されている。特許文献１には、便器本体の排出口と床面に配設された排水管とを接続する排水ソケットを備えた水洗大便器が記載されている。この水洗大便器の排水ソケットには、その流入部に分流部が設けられ、流入した排水を分流部に衝突させて上下方向に分流させ、上方に分流した排水を旋回空間において旋回させ、それにより、排水ソケットから排水管へ排出させる排水の最大瞬間流量を低減し、排水管内の自己サイホン作用の発生を抑制するようにしている。
【０００４】
また、特許文献２には、排水トラップ管路を備えた水洗大便器が記載されている。この水洗大便器の排水トラップ管路は下降管路を備え、この下降管路は、流路断面積が順次拡大する拡大部と、この拡大部の下流側に設けられた流路断面が縮小する縮小部と、これらの拡大部と縮小部との間に水受け部を備え、さらに、拡大部と水受け部により窪み部が形成されている。この水洗大便器においては、この窪み部により下降管路を流れる洗浄水の流速を遅滞させ、自己サイホンの発生を抑制するようにしている。
【先行技術文献】
【特許文献】
【０００５】
【特許文献１】特開２０１６−１７６２５５号公報
【特許文献２】特開２０１７−３１７７２号公報
【発明の概要】
【発明が解決しようとする課題】
【０００６】
上述したように、自己サイホン作用の発生を抑制するための種々の構造が提案されているが、これらの構造をより改良した水洗大便器の開発が要望されている。
【０００７】
そこで、本発明は、従来からの要望を満たすためになされたものであり、自己サイホン作用の発生を抑制し、封水が下流側に引き込まれてしまうことを確実に抑制することができる水洗大便器を提供することを目的としている。
【課題を解決するための手段】
【０００８】
上記の目的を達成するために、本発明は、汚物を受けるボウル部と、このボウル部の下部に接続され外部の排水配管の入口に接続される排水口まで延び且つその一部に封水を溜める排水流路と、を有する水洗大便器において、排水流路は、ボウル部の下部から後方へ向けて上昇する上昇流路と、この上昇流路の下流端から排水口まで下降する下降流路と、を備え、排水流路の下降流路は、排水口の後方側に底面を備え、この底面に、底面から排水口へ向けて流れる排水の水平方向の流れの向きを排水口の中心よりも左右の何れか一方の側に向けて流れるようにガイドするガイド部が形成されている。
このように構成された本発明において、排水流路の下降流路の底面に、排水口へ向けて流れる排水の水平方向の流れの向きを上記排水口の中心よりも左右の何れか一方の側に向けて流れるようにガイドするガイド部が形成されているので、このガイド部により排水口に流れ込む排水が排水口の中心から偏心して流入し易くなるため、排水が排水流路（排水トラップ等）及び排水配管の一部をシールして排水流路内および排水配管内において自己サイホンが発生することを抑制することができる。従って、本発明によれば、水洗大便器の封水が下流側へ引き込まれてしまうことを抑制することができる。
【０００９】
本発明において、好ましくは、ガイド部は、下降流路の底面の左右の何れか一方の側へ向けて斜め下方へ傾斜する傾斜面を有する。
このように構成された本発明によれば、ガイド部の傾斜面により、排水を排水口に流入する前に左右の何れか一方の側へガイドすることにより、排水口に流れ込む排水を排水口の中心から偏心して流入させることができ、これにより、排水が排水流路や排水配管の一部をシールして排水流路内および排水配管内において自己サイホンが発生することを抑制することができる。
【００１０】
本発明において、好ましくは、ガイド部の傾斜面は、左右の何れか一方の側且つ前方へ向けて斜め下方へ傾斜する。
このように構成された本発明によれば、ガイド部の傾斜面が左右の何れか一方の側且つ前方へ向けて斜め下方へ傾斜するので、排水が排水口に流入する前にその流れを側方にそらし、排水をより確実に排水口の中心から偏心して流入させることができ、これにより、排水が排水流路や排水配管の一部をシールして排水流路内および排水配管内において自己サイホンが発生することを抑制することができる。
【００１１】
本発明において、好ましくは、ガイド部は、傾斜面の上方に設けられ傾斜面よりも傾斜角度の小さい上面を有する。
このように構成された本発明によれば、下降流路に流れ込んできた排水が一度上面に衝突して排水の流れを乱すことができるので、これにより、排水の流れが局所的に集中することを抑制することができる。従って、本発明によれば、排水流路や排水配管の一部をシールして排水流路内および排水配管内において自己サイホンが発生することを抑制することができる。
【００１２】
本発明は、汚物を受けるボウル部と、このボウル部の下部に接続され外部の排水配管の入口に接続される排水口まで延び且つその一部に封水を溜める排水流路と、を有する水洗大便器において、排水流路は、ボウル部の下部から後方へ向けて上昇する上昇流路と、この上昇流路の下流端から上記排水口まで下降する下降流路と、を備え、排水流路の下降流路は、上昇流路の頂部底面から連続して延びる上流領域に左右の何れか一方の側に傾斜する傾斜面が形成されている。
このように構成された本発明において、排水流路の下降流路の上昇流路の頂部底面から連続して延びる上流領域に左右の何れか一方の側に傾斜する傾斜面が形成されているので、この傾斜面により排水口に流れ込む排水が排水口の中心から偏心して流入し易くなるため、排水が排水流路や排水配管の一部をシールして排水流路内および排水配管内において自己サイホンが発生することを抑制することができる。従って、本発明によれば、水洗大便器の封水が下流側へ引き込まれてしまうことを抑制することができる。
【００１３】
本発明は、汚物を受けるボウル部と、このボウル部の下部に接続され外部の排水配管の入口に接続される排水口まで延び且つその一部に封水を溜める排水流路と、を有する水洗大便器において、排水流路は、ボウル部の下部から後方へ向けて上昇する上昇流路と、この上昇流路の下流端から排水口まで下降する下降流路と、この下降流路の下端に取り付けられた排水ソケットと、を備え、排水流路の排水ソケットは、排水口の後方側に底面を備え、この底面に、底面から排水口へ向けて流れる排水の水平方向の流れの向きを排水口の中心よりも左右の何れか一方の側に向けて流れるようにガイドするガイド部が形成されている。
このように構成された本発明において、排水流路の排水ソケットの底面に、排水口へ向けて流れる排水の水平方向の流れの向きを上記排水口の中心よりも左右の何れか一方の側に向けて流れるようにガイドするガイド部が形成されているので、このガイド部により排水口に流れ込む排水が排水口の中心から偏心して流入し易くなるため、排水が排水流路や排水配管の一部をシールして排水流路内および排水配管内において自己サイホンが発生することを抑制することができる。従って、本発明によれば、水洗大便器の封水が下流側へ引き込まれてしまうことを抑制することができる。
【発明の効果】
【００１４】
本発明の水洗大便器によれば、自己サイホン作用の発生を抑制し、封水が下流側に引き込まれてしまうことを確実に抑制することができる。
【図面の簡単な説明】
【００１５】
【図１】本発明の一実施形態による水洗大便器の平面図である。
【図２】図１のII−II線に沿って見た水洗大便器の縦断面図である。
【図３】本発明の一実施形態による水洗大便器の下降管路の底面を示す斜視図である。
【図４】本発明の一実施形態による水洗大便器の下降管路の底面を示す平面図である。
【図５】本発明の一実施形態による水洗大便器の下降管路の底面の変形例を示す斜視図である。
【図６】本発明の他の実施形態による水洗大便器を示す縦断面図である。
【図７】図６のVII-VII線に沿って見た部分投射断面図（部分中心投影断面図）である。
【図８】本発明の更なる他の実施形態による水洗大便器を示す縦断面図である。
【発明を実施するための形態】
【００１６】
先ず、図１及び図２を参照して、本発明の一実施形態による水洗大便器の基本構造について説明する。
図１及び図２に示すように、本発明の一実施形態による水洗大便器１は、便器本体２とこの便器本体２に供給される洗浄水を貯水する貯水タンク４を有する。便器本体２は、全体が陶器製である。なお、水洗大便器１は、貯水タンク４の代りに他の給水源（水道等）を使用するものであってもよい。
【００１７】
貯水タンク４は、約３．６リットル〜約４．８リットルの洗浄水を貯水し、下面には、タンク排水口６が形成されている。使用者がスイッチ（図示せず）を操作すると、排水弁（図示せず）が開状態となり、貯水タンク４のタンク排水口６から貯水タンク４内の洗浄水が便器本体２に供給されるようになっている。
【００１８】
便器本体２は、前方側にボウル部８を有し、このボウル部８は、ボウル形状の汚物受け面１０と、この汚物受け面１０の上縁に形成されたリム部１２と、この汚物受け面１０とリム部１２との間に形成された棚部１４とを備えている。リム部１２には、内側に向かってオーバーハングしている内周面１２ａが形成されている。
【００１９】
便器本体２のボウル部８は、さらに、汚物受け面１０の下方に形成された凹部１６を備え、この凹部１６は、ほぼ垂直方向に延び且つ平面視でほぼ三角形形状の縦壁部１６ａにより形成されている。
便器本体２のボウル部８の凹部１６の下方側には、洗浄水と共に汚物を排出するための排水流路である排水トラップ管路１８が形成されている。
【００２０】
本実施形態による水洗大便器１は、ボウル部８内の洗浄水の落差による流水作用により汚物を排出する「洗い落とし式便器」である。
【００２１】
便器本体２の後方側には、前後方向に延びる共通リム導水路２０が後方から前方に延びており、その後方側は、上述した貯水タンク４のタンク排水口６に接続され、貯水タンク４から洗浄水が流入するようになっている。共通リム導水路２０の下流端である前方側は、第１リム導水路２２と第２リム導水路２４とに分岐している。
【００２２】
第１リム導水路２２の下流端には第１リム吐水口２６が形成され、この第１リム導水路２２により、貯水タンク４の洗浄水を共通リム導水路２０を経由して第１リム吐水口２６に導くようになっている。この第１リム吐水口２６は、図２に示すように、便器本体２を前方から見てボウル部８の左側中央部、即ち、凹部１６の側方に配置されている。第１リム吐水口２６から洗浄水がボウル部８の前方側に向けて棚部１４に吐水されるようになっている。
【００２３】
第２リム導水路２４の下流端には第２リム吐水口２８が形成され、この第２リム導水路２４により、貯水タンク４の洗浄水を共通リム導水路２０を経由して第２リム吐水口２８に導くようになっている。この第２リム吐水口２８は、図２に示すように、ボウル部８を前後方向に二等分した場合の後方に設けられ、さらに、便器本体２を前方から見てボウル部８の右側に配置される。また、第２リム吐水口２８からも洗浄水がボウル部８の後方側に向けて棚部１４上に吐水されるようになっている。
【００２４】
ここで、本実施形態による水洗大便器１において、第１リム吐水口２６及び第２リム吐水口２８からボウル部８に洗浄水を吐水するようになっており、ゼット吐水口は設けられておらず、ゼット吐水は行われない。
【００２５】
図２に示すように、排水トラップ管路１８は入口３０を備え、この入口３０がボウル部８及び凹部１６と連通している。排水トラップ管路１８は、入口３０から後方に向けて上昇する上昇管路３２と、この上昇管路３２の下流端３２ａ（上昇管路３２の頂部３２ａでもある）から前方に向けて排水口３６まで下降する下降管路３４と、を備えている。この排水トラップ管路１８の最高位置（頂部３２ａ）により、封水面（溜水面）Ｗの位置が決定されるようになっている。また、下降管路３４の排水口３６には、排水配管５０の入口が接続されている。
【００２６】
さらに、排水トラップ管路１８は、前方から見て右側壁１８ａ及び左側壁１８ｂが、それぞれ、垂直方向（鉛直方向）に延びて、幅Ｗ１が上下方向において一定である（図４参照）。
【００２７】
次に、図３及び図４により、排水トラップ管路１８の下降管路３４について詳細に説明する。図３は本実施形態による水洗大便器１の下降流路３４の底面を示す斜視図であり、図４は下降流路３４の底面を示す平面図である。
図３及び図４に示すように、下降管路３４は、底面３８を備え、この底面３８は、排水口３６の後方側（上流側）の領域を形成している。
【００２８】
下降管路３４の底面３８の後方側（上流側）には、ガイド部４０が設けられている。このガイド部４０は、４つの面である上面４８ａ、傾斜面４８ｂ、傾斜面ｃ、傾斜面４８ｄを備えている。これらの４つの面４８ａ，４８ｂ，４８ｃ，４８ｄは、全て表面が平坦な面である。
【００２９】
図３に示すように、上面は、最後方側（最上流側）の右側の最高位置に形成された平坦面であり、前方側（下流側）に向けて少しだけ傾斜している。なお、この上面４８ａは傾斜せず水平な面であってもよい。傾斜面４８ｂは傾斜面４８ａの前方端から前方に向けて下方へ傾斜する矩形の傾斜面である。傾斜面４８ｂは傾斜面４８ｂの左側端から右側及び前方に向けて斜め下方へ傾斜する３角形の傾斜面である。傾斜面４８ｂは傾斜面３８ｂの右側端から右側に向けて下方へ傾斜する矩形の傾斜面である。ここで、平坦面である傾斜面３８ａの傾斜角度は、他の傾斜面４８ｂ，４８ｃ，４８ｄの何れの傾斜角度よりも小さい。
【００３０】
図４に示すように、本実施形態による水洗大便器１においては、下降流路３４の底面３８に上述したガイド部４０を形成したので、下降流路３４の上流側から流下した排水は、ガイド部４０の４つの面４０ａ，４０ｂ，４０ｃ，４０ｄと衝突する。条件４０ａに衝突した排水は、乱れた流れとなり、その後、傾斜面４０ｂ、傾斜面４０ｃ、傾斜面４０ｄに沿って流れる。
【００３１】
傾斜面４０ｂに衝突した排水及び上面４０ａから流下した排水は、そのまま、傾斜面４０ｂの表面に沿って前方側に流れる（図４の流れＦ３参照）。傾斜面４０ｃ及び傾斜面４０ｄに衝突した排水及び上面４０ａから流下した排水は、これらの面に沿って左側に向かって流れる（図４の流れＦ２，Ｆ３参照）。前方に向かって流れる流れＦ３よりも、右側に向かって流れる流れＦ２，Ｆ３の方が排水の流量が大となっている。そのため、下降流路３４の底面３８における排水の水平方向の流れは、排水口３６の中心よりも左側に向いた流れとなり、即ち、排水口３６の中心に向かう流れが左壁面１８ｂの側にそらされ、偏心した流れとなる。この後、排水は、排水口３６の中心から偏心して排水口３６に流入して、排水口３６内で旋回流（図４の流れＦ４参照）となる。
【００３２】
次に、図５により、上述した本実施形態の水洗大便器の変形例について説明する。図５は本実施形態の水洗大便器の下降管路の底面の変形例を示す斜視図である。図５に示す変形例においては、下降管路３４の底面３８の最後方側（最上流側）に、ガイド部４２が形成され、このガイド部４２は、右側及び前方に向けて斜め下方に傾斜する３角形の平坦な傾斜面４２ａを備えている。
【００３３】
この変形例による水洗大便器においても、上述した水洗大便器１と同様に、下流流路３４の上流側から流下した排水は、ガイド部４２の傾斜面４２ａに衝突する。傾斜面４２ａに衝突した排水は、この面に沿って左側に向かって流れる。このため、下降流路３４の底面３４における排水の水平方向の流れは、排水口３６の中心よりも左側に向いた流れとなり、即ち、左側に偏心した流れとなる。この後、排水は、排水口３６の中心から偏心して排水口３６に流入して、排水口３６内で旋回流（図４の流れＦ４参照）となる。
【００３４】
次に、上述した本実施形態による水洗大便器１の動作及び作用効果を説明する。使用者がスイッチを操作することにより、排水弁が開状態となり、貯水タンク４内の洗浄水がタンク排水口６から便器本体２の共通リム導水路２０内に供給される。共通リム導水路２０内に流入した洗浄水は前方側に流れ、第１リム導水路２２と第２リム導水路２４に分かれて流入する。洗浄水は、第１リム導水路２２により第１リム吐水口２６まで導かれ、第１リム吐水口２６から棚部１４上に吐水される。また、洗浄水は、第２リム導水路２４により第２リム吐水口２８まで導かれ、第２リム吐水口２８から棚部１４上に吐水される。
【００３５】
洗浄水は、第１リム吐水口２６から前方に向けて吐水され、一方、第２リム吐水口２８から後方に向けて吐水され、これらの洗浄水は、同一方向（反時計回り）に旋回する旋回流となる。第１リム吐水口２６から吐水された洗浄水により、主に汚物受け面１０の前方側領域が洗浄水され、第２リム吐水口２８から吐水された洗浄水により、主にボウル部８の汚物受け面１０の後方側領域が洗浄されるようになっている。
【００３６】
次に、図３乃至図５により、本実施形態による水洗大便器１の排水トラップ管路１８内における排水の流れを説明する。本実施形態による水洗大便器１においては、排水トラップ管路１８の下降流路３４の排水口３６の後方側に底面３８にガイド部４０が形成されているので、このガイド部４０により排水口３６に流れ込む排水が排水口３６の中心から偏心して流入し易くなるため、排水が排水トラップ管路１８及び排水配管の一部をシールして排水トラップ管路１８内および排水配管５０内において自己サイホンが発生することを抑制することができる。従って、本実施形態による水洗大便器１によれば、水洗大便器１の封水が下流側へ引き込まれてしまうことを抑制することができる。
【００３７】
本実施形態による水洗大便器１のガイド部４０，４２は、下降流路３４の底面３８の左側に向けて（右側に向けるようにしてもよい）斜め下方へ傾斜する傾斜面４０ｃ，４０ｄ，４２ａを有し、これら傾斜面４０ｃ，４０ｄ，４２ａにより、排水を排水口３６に流入する前に左側へガイドすることにより、排水口３６に流れ込む排水を排水口３６の中心から偏心して流入させることができ、これにより、排水が排水トラップ管路１８や排水配管５０の一部をシールして排水トラップ管路１８内および排水配管５０内において自己サイホンが発生することを抑制することができる。
【００３８】
次に、本実施形態による水洗大便器１のガイド部４０，４２の傾斜面４０ｃ，４０ｄは左側に向けて下方に傾斜し、傾斜面４０ｂは前方に向けて下方に傾斜するので、これらの傾斜面４０ｂ，４０ｃ，４０ｄにより、排水が排水口３６にスムーズに流れ込み、排水をより確実に排水口３６の中心から偏心して流入させることができ、これにより、排水が排水トラップ管路１８や排水配管５０の一部をシールして排水トラップ管路１８内および排水配管５０内において自己サイホンが発生することを抑制することができる。
【００３９】
次に、本実施形態による水洗大便器１のガイド部４０は、傾斜面４０ｂ，４０ｃ，４０ｄの上方に設けられ傾斜面４０ｂ，４０ｃ，４０ｄよりも傾斜角度の小さい上面４０ａを有するので、下降流路３４に流れ込んできた排水が一度上面４０ａに衝突して排水の流れを乱すことができるので、これにより、排水の流れが局所的に集中することを抑制することができる。従って、本実施形態による水洗大便器１によれば、排水トラップ管路１８や排水配管５０の一部をシールして排水トラップ管路１８内および排水配管５０内において自己サイホンが発生することを抑制することができる。
【００４０】
次に、図６及び図７により、本発明の他の実施形態による水洗大便器１について説明する。この他の実施形態においては、排水トラップ管路１８の下降管路３４の底面３８には、上述したガイド部は設けられていない。この他の実施形態における水洗大便器１においては、ガイド部を設ける代わりに、排水トラップ管路１８の下降流路３４に、上昇流路３２の頂部３２ａの底面から連続して延びる上流領域に左側に傾斜する（右側に傾斜するものであってもよい）傾斜面４２ａが形成されている。
【００４１】
この他の実施形態による水洗大便器１においては、排水トラップ管路１８の下降流路３４の上昇流路３２の頂部３２ａの底面から連続して延びる上流領域に左側に傾斜する傾斜面３４ａが形成されているので、この傾斜面３４ａにより排水口３６に流れ込む排水が排水口３６の中心から偏心して流入し易くなるため、排水が排水トラップ管路１８や排水配管５０の一部をシールして排水トラップ管路１８内および排水配管５０内において自己サイホンが発生することを抑制することができる。従って、本実施形態によれば、水洗大便器１の封水が下流側へ引き込まれてしまうことを抑制することができる。
【００４２】
次に、図８により、本発明の更なる他の実施形態による水洗大便器１について説明する。この実施形態による水洗大便器１においては、排水トラップ管路１８が上昇管路３２及び下降管路５２を備えているが、この下降管路５２は、上述した下降管路３４に比べて上下方向の長さが短く、この下降管路５２の下端に別部品である排水ソケット５４が取り付けられている。この排水ソケット５４は樹脂製である。この排水ソケット５４は、後方側に平らな底面５６を有し、前方側に排水口５８が形成されている。
【００４３】
排水ソケット５４の底面５６には、上述した図３に示すガイド部４０と同様なガイド部６０が形成されている。このガイド部６０も、ガイド部５０と同様に、上面及び３つの傾斜面を備えている。
【００４４】
この更なる他の実施形態による水洗大便器１においては、排水ソケット５４の底面５６に、排水口３６へ向けて流れる排水の水平方向の流れの向きを排水口３６の中心よりも左側（右側でもよい）に向けて流れるようにガイドするガイド部６０が形成されているので、このガイド部６０により排水口３６に流れ込む排水が排水口３６の中心から偏心して流入し易くなるため、排水が排水ソケット５４や排水配管５０の一部をシールして排水ソケット５４内および排水配管５０内において自己サイホンが発生することを抑制することができる。従って、本実施形態による水洗大便器１によれば、水洗大便器１の封水が下流側へ引き込まれてしまうことを抑制することができる。
【００４５】
この更なる他の実施形態による水洗大便器１のガイド部６０は、上述した図５に示すガイド部４２と同様な構造のものであってもよい。
さらに、ガイド部６０は、底面５６の全体を左右のどちらかに傾けるようにしてもよい。このようにした場合でも、排水口５８に流れ込む排水を排水口５８の中心から偏心させることができる。
【符号の説明】
【００４６】
１  水洗大便器
２  便器本体
４  貯水タンク
８  ボウル部
１０  汚物受け面  
１２  リム部
１４  棚部
１８  排水トラップ管路（排水流路）
２６  第１リム吐水口
２８  第２リム吐水口
３２  上昇管路（上昇流路）
３２ａ  頂部
３４  下降管路（下降流路）
３４ａ  傾斜面
３６  排水口
３８  底面
４０  ガイド部
４０ａ  上面
４０ｂ  傾斜面
４０ｃ  傾斜面
４０ｄ  傾斜面
４２  ガイド部
４２ａ  傾斜面
５０  排水配管
５２  下降管路
５４  排水ソケット
５６  底面
５８  排水口
６０  ガイド部
【図１】
2020029725.tif 000003
【図２】
2020029725.tif 000004
【図３】
2020029725.tif 000005
【図４】
2020029725.tif 000006
【図５】
2020029725.tif 000007
【図６】
2020029725.tif 000008
【図７】
2020029725.tif 000009
【図８】
2020029725.tif 000010